(57)【要約】【課題】排泄物の漏れが生じにくいペット用使い捨ておむつを提供する。【解決手段】ペット用使い捨ておむつ１００は、胴周り領域２１０と、股下領域２２０と、おむつ本体内側領域２００Ｚ１と、おむつ本体外側領域２００Ｚ２と、第１吸収性コア２３０と、尻尾挿通開口２４０と、を有するおむつ本体２００と、おむつ本体内側領域２００Ｚ１に着脱自在に配置されるとともに、第２吸収性コア３１０を有する補助体３００と、により形成され、第１吸収性コア２３０の所定領域と第２吸収性コア３１０の所定領域が重ねられて積層吸収性コア領域１１０を形成し、積層吸収性コア領域１１０は、高剛性領域１２０を形成する。【選択図】図１
0003212307.tif 000002
【実用新案登録請求の範囲】
【請求項１】
ペット用使い捨ておむつであって、
胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体と、
前記おむつ本体内側領域に着脱自在に配置されるとともに、第２吸収性コアを有する補助体と、を有し、
前記おむつ本体の前記胴周り領域は、背側胴周り領域と、腹側胴周り領域とを有し、
前記補助体を前記おむつ本体に配置した状態において、前記補助体は、前記おむつ本体における前記尻尾挿通開口から前記腹側胴周り領域における所定領域に亘り配置されるとともに、前記第１吸収性コアにおける所定領域と前記第２吸収性コアにおける所定領域が重ねられて形成される積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつ。
【請求項２】
請求項１に記載されたペット用使い捨ておむつであって、
前記おむつ本体は、前記胴周り領域と前記股下領域に連続する方向により規定されるおむつ長手方向と、当該おむつ長手方向と交差する方向であるおむつ長手交差方向の双方に延在するよう形成され、
前記補助体は、前記補助体を前記おむつ本体に配置した状態において、前記おむつ本体の胴周り領域と前記股下領域に連続する方向により規定される補助体長手方向と、当該補助体長手方向と交差する方向である補助体長手交差方向の双方に延在するよう形成されることを特徴とするペット用使い捨ておむつ。
【請求項３】
請求項１または２のいずれか１項に記載されたペット用使い捨ておむつであって、
前記おむつ本体は、一対の第１バリアカフスを有し、
前記補助体は、前記一対の第１バリアカフスの間に配置されることを特徴とするペット用使い捨ておむつ。
【請求項４】
請求項１〜３のいずれか１項に記載されたペット用使い捨ておむつであって、
前記おむつ本体は、前記腹側胴周り領域に設けられた係止部と、前記背側胴周り領域における前記外側領域に設けられるとともに前記係止部を受ける係止領域と、を有する第１のおむつ本体であることを特徴とするペット用使い捨ておむつ。
【請求項５】
請求項１〜３のいずれか１項に記載されたペット用使い捨ておむつであって、
前記おむつ本体は、前記背側胴周り領域における前記おむつ長手交差方向上の端部である一対の背側長手交差方向端部と、前記腹側胴周り領域における前記おむつ長手交差方向上の端部である一対の腹側長手交差方向端部と、前記背側長手交差方向端部と前記腹側長手交差方向端部とを接合する接合部と、を有する第２のおむつ本体であることを特徴とするペット用使い捨ておむつ。
【請求項６】
請求項１〜５のいずれか１項に記載されたペット用使い捨ておむつであって、
前記補助体は、前記補助体を前記おむつ本体に配置した状態において、前記おむつ本体の前記おむつ本体内側領域に向けられる第１シートと、第２シートとを有し、
前記第２吸収性コアは、前記第１シートと前記第２シートの間に配置されることを特徴とするペット用使い捨ておむつ。
【請求項７】
請求項６に記載されたペット用使い捨ておむつであって、
前記第１シートは、液透過性であることを特徴とするペット用使い捨ておむつ。
【請求項８】
請求項６に記載されたペット用使い捨ておむつであって、
前記第１シートは、液不透過性であることを特徴とするペット用使い捨ておむつ。
【請求項９】
請求項６〜８のいずれか１項に記載されたペット用使い捨ておむつであって、
前記第２シートは、液透過性であることを特徴とするペット用使い捨ておむつ。
【請求項１０】
請求項６〜９のいずれか１項に記載されたペット用使い捨ておむつであって、
前記補助体は、前記第２シートに配置された第３シートを有し、
前記第３シートは、前記補助体における前記補助体長手交差方向の端部領域に配置されるとともに、前記第２シートに接合される領域である第３シート接合領域と、前記第２シートに接合されない領域である第３シート自由領域とを有し、
前記第３シート自由領域には、伸縮性弾性部材が伸長状態にて配置され、
前記伸縮性弾性部材の収縮により前記第３シート自由領域が起立され第２バリアカフスを形成することを特徴とするペット用使い捨ておむつ。
【請求項１１】
ペット用使い捨ておむつに用いられる補助体であって、
第２吸収性コアを有し、
胴周り領域と、当該胴周り領域に形成される背側胴周り領域と、前記胴周り領域に形成される腹側胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体における前記おむつ本体内側領域の前記尻尾挿通開口から前記腹側胴周り領域の所定位置に着脱自在に配置され、
前記第２吸収性コアは、前記第１吸収性コアにおける所定領域に重ねられて積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつに用いられる補助体。
【考案の詳細な説明】
【技術分野】
【０００１】
本考案は、ペット用使い捨ておむつおよびペット用使い捨ておむつに用いられる補助体に関する。
【背景技術】
【０００２】
犬や猫に代表されるペットを、家屋内で飼育することは一般的である。このため、種々のペット用使い捨ておむつが販売されている。例えば、特開２０１２−１６１２７８号に示される構造のペット用使い捨ておむつが提案されている。
【先行技術文献】
【特許文献】
【０００３】
【特許文献１】特開２０１２−１６１２７８号公報
【考案の概要】
【考案が解決しようとする課題】
【０００４】
ペット用使い捨ておむつにおいては、特に吸収性コアの剛性が低いと、吸収性コアの形状が変形する可能性があった。吸収性コアが変形すると、排泄物の漏れなどの問題が生じていた。
一方、特開２０１２−１６１２７８号に記載されたペット用使い捨ておむつは、吸収性コアに対し、合成樹脂製の形状補正部材が設けられていた。一方、形状補正部材そのもののコストや、ペット用使い捨ておむつの製造コストが上がるという問題があった。
【０００５】
本考案は、このような点に鑑みて創案されたものであり、排泄物の漏れが生じにくいペット用使い捨ておむつおよびペット用使い捨ておむつに用いられる補助体を提供することを目的とする。
【課題を解決するための手段】
【０００６】
上記課題を解決するため、本考案においては、おむつ本体と、補助体とを有するペット用使い捨ておむつが構成される。おむつ本体は、胴周り領域と、股下領域と、おむつ本体内側領域と、おむつ本体外側領域と、第１吸収性コアと、尻尾挿通開口と、を有する。おむつ本体内側領域は、おむつ本体がペットに装着された状態において、ペットに向けられる領域である。おむつ本体外側領域は、おむつ本体内側領域と対向する領域である。おむつ本体の胴周り領域は、背側胴周り領域と、腹側胴周り領域とを有する。
一方、補助体は、おむつ本体内側領域に着脱自在に配置される。また、補助体は、第２吸収性コアを有する。
補助体をおむつ本体に配置した状態においては、補助体は、おむつ本体における尻尾挿通開口から腹側胴周り領域における所定領域に亘り配置される。この際、おむつ本体の第１吸収性コアにおける所定領域と、補助体における第２吸収性コアにおける所定領域が重ねられて積層吸収性コア領域が形成される。
積層吸収性コア領域は、第１吸収性コア単体および第２吸収性コア単体よりも剛性が高い領域である高剛性領域を形成する。
すなわち、例えば、おむつ本体に補助体を配置しない状態にあっては、第１吸収性コアが大きく変形してしまう恐れがある。一方、おむつ本体に補助体を配置することにより、高剛性領域が形成される。よって、積層吸収性コア領域は、変形しにくい構成となる。この結果、本考案に係るペット用使い捨ておむつは排泄物の漏れが生じにくくなる。
【０００７】
また本考案に係る解決手段の一態様として、おむつ本体は、胴周り領域と股下領域に連続する方向により規定されるおむつ長手方向と、おむつ長手方向と交差する方向であるおむつ長手交差方向の双方に延在するよう形成される。そして、補助体は、補助体をおむつ本体に配置した状態において、おむつ本体の胴周り領域と股下領域に連続する方向により規定される補助体長手方向と、補助体長手方向と交差する方向である補助体長手交差方向の双方に延在するよう形成される。
【０００８】
また本考案に係る解決手段の一態様として、おむつ本体は、一対の第１バリアカフスを有し、補助体は、一対の第１バリアカフスの間に配置される。
これにより、補助体は、一対の第１バリアカフスにより支持される。よって、補助体は、おむつ本体に対してずれを生じにくくなる。
【０００９】
また本考案に係る解決手段の一態様として、おむつ本体を、腹側胴周り領域に設けられた係止部と、背側胴周り領域における外側領域に設けられるとともに前記係止部を受ける係止領域と、を有する第１のおむつ本体とすることができる。すなわち、ペット用使い捨ておむつのおむつ本体として、いわゆるオープン型おむつ本体を使用することができる。
【００１０】
また本考案に係る解決手段の一態様として、おむつ本体を、背側胴周り領域におけるおむつ長手交差方向上の端部である一対の背側長手交差方向端部と、腹側胴周り領域におけるおむつ長手交差方向上の端部である一対の腹側長手交差方向端部と、背側長手交差方向端部と腹側長手交差方向端部とを接合する接合部と、を有する第２のおむつ本体とすることができる。すなわち、ペット用使い捨ておむつのおむつ本体として、いわゆるパンツ型おむつ本体を使用することができる。
【００１１】
また本考案に係る解決手段の一態様として、補助体は、第１シートと、第２シートとを有し、第２吸収性コアは、第１シートと第２シートの間に配置される構成とすることができる。第１シートは、補助体をおむつ本体に配置した状態において、おむつ本体の前記おむつ本体内側領域に向けられる。
【００１２】
また本考案に係る解決手段の一態様として、第１シートは、液透過性とすることができる。この結果、第２吸収性コアで吸収しきれなかった排泄物を、第１吸収性コアへと導くことができる。
【００１３】
また本考案に係る解決手段の一態様として、第１シートは、液不透過性とすることができる。この結果、第２吸収性コアで吸収した排泄物が、第１吸収性コアへ移行することを防ぐこととなる。よって、排泄物を吸収した補助体のみを交換すれば足りる。従って、おむつ本体の再利用性を図ることができる。
【００１４】
また本考案に係る解決手段の一態様として、第２シートは、液透過性とすることができる。これにより、排泄物を第２吸収性コアに容易に導くことが可能となる。
【００１５】
また本考案に係る解決手段の一態様として、補助体は、第２シートに配置された第３シートを有する。第３シートは、補助体における補助体長手交差方向の端部領域に配置されるとともに、第２シートに接合される領域である第３シート接合領域と、第２シートに接合されない領域である第３シート自由領域とを有する。
第３シート自由領域には、伸縮性弾性部材が伸長状態にて配置される。
この構成により、伸縮性弾性部材の収縮に伴い、第３シート自由領域が起立され第２バリアカフスが形成される。従って、排泄物が補助体から漏れることを効果的に防止することができる。
【００１６】
上記課題を解決するため、本考案においては、ペット用使い捨ておむつに用いられる補助体であって、第２吸収性コアを有する。
補助体が着脱自在に配置されるおむつ本体は、胴周り領域と、胴周り領域に形成される背側胴周り領域と、胴周り領域に形成される腹側胴周り領域と、股下領域と、ペットに装着された状態においてペットに向けられる領域であるおむつ本体内側領域と、おむつ本体内側領域と対向する領域であるおむつ本体外側領域と、第１吸収性コアと、尻尾挿通開口と、を有する。補助体は、おむつ本体内側領域の尻尾挿通開口から腹側胴周り領域の所定位置に着脱自在に配置される。
第２吸収性コアは、前記第１吸収性コアにおける所定領域に重ねられて積層吸収性コア領域を形成する。
積層吸収性コア領域は、第１吸収性コア単体および第２吸収性コア単体よりも剛性が高い領域である高剛性領域を形成する。
すなわち、補助体をおむつ本体に配置することにより、積層吸収性コア領域に高剛性領域が形成される。よって、補助体は、ペット用使い捨ておむつに対し漏れを生じにくくささせる。
【考案の効果】
【００１７】
本考案に係るペット用使い捨ておむつは、おむつ本体と補助体とを有する。よって、おむつ本体の腹側胴周り領域における剛性を上げることができる。よって、排泄物の漏れが生じにくくなる。
また、本考案に係るペット用使い捨ておむつに用いられる補助体は、ペット用使い捨ておむつから排泄物を漏れにくくすることができる。
【図面の簡単な説明】
【００１８】
【図１】本考案の実施形態に係るペット用使い捨ておむつの概要を示す説明図である。
【図２】本考案の実施形態に係るペット用使い捨てオープン型おむつを示す説明図である。
【図３】本考案の実施形態に係るペット用使い捨てパンツ型おむつを示す説明図である。
【図４】本考案の実施形態に係る補助体を示す平面図である。
【図５】本考案の実施形態に係る補助体を示す説明図である。
【図６】図５のＸＩ−ＸＩ線の断面図である。
【図７】図５のＸＩＩ−ＸＩＩ線の断面図である。
【図８】本考案の第１変形例に係る補助体の説明図である。
【図９】本考案の第１変形例に係るペット用使い捨ておむつの概要を示す説明図である。
【図１０】本考案の第２変形例に係る補助体の説明図である。
【図１１】本考案の第２変形例に係るペット用使い捨ておむつの概要を示す説明図である。
【図１２】本考案の第３変形例に係る補助体の説明図である。
【図１３】本考案の第４変形例に係る補助体の説明図である。
【図１４】本考案の第５変形例に係る補助体の説明図である。
【図１５】本考案の第６変形例に係る補助体の説明図である。
【図１６】本考案の第７変形例に係る補助体の説明図である。
【図１７】本考案の第８変形例に係る補助体の説明図である。
【考案を実施するための最良の形態】
【００１９】
（実施形態におけるペット用使い捨ておむつの概要）
以下に、本考案に係る実施形態の概要を図１により説明する。
図１は、本考案に係るペット用使い捨ておむつ１００を示す。本実施の形態において「ペット」とは、脊椎動物（哺乳類、爬虫類、鳥類、両性類）や無脊椎動物を広く包含するが、典型的には猫、犬、ウサギ、ハムスター、馬、牛、豚、山羊といった愛玩動物がこれに該当する。
図１は、ペット用使い捨ておむつ１００をペット（図示せず）に装着した状態の概要を示す。
【００２０】
ペット用使い捨ておむつ１００は、おむつ本体２００と補助体３００とにより形成される。おむつ本体は２００、胴周り領域２１０と、股下領域２２０と、ペットに装着された状態においてペットＰに向けられる領域であるおむつ内側領域２００Ｚ１と、おむつ内側領域２００Ｚ１と対向する領域であるおむつ外側領域２００Ｚ２と、第１吸収性コア２３０と、尻尾挿通開口２４０と、を有する。
このペット用使い捨ておむつ１００が、本考案に係る「ペット用使い捨ておむつ」の一例である。このおむつ本体２００が、本考案に係る「おむつ本体」の一例である。この補助体３００が、本考案に係る「補助体」の一例である。この胴周り領域２１０が、本考案に係る「胴周り領域」の一例である。この股下領域２２０が、本考案に係る「股下領域」の一例である。このおむつ内側領域２００Ｚ１が、本考案に係る「おむつ内側領域」の一例である。このおむつ外側領域２００Ｚ２が、本考案に係る「おむつ外側領域」の一例である。この第１吸収性コア２３０が、本考案に係る「第１吸収性コア」の一例である。この尻尾挿通開口２４０が、本考案に係る「尻尾挿通開口」の一例である
【００２１】
補助体３００は、おむつ本体２００のおむつ内側領域２００Ｚ１に着脱自在に配置されるとともに、第２吸収性コア３１０を有する。
なお、図１における説明の都合上、特に補助体３００においては、第２吸収性コア３１０のみを図示する。
この第２吸収性コア３１０が、本考案に係る「第２吸収性コア」の一例である。
【００２２】
おむつ本体２００の胴周り領域２１０は、背側胴周り領域２１１と、腹側胴周り領域２１２とを有する。
補助体３００をおむつ本体２００に配置した状態において、補助体３００は、おむつ本体２００における尻尾挿通開口２４０から腹側胴周り領域２１２における所定領域に亘り配置される。
【００２３】
補助体３００をおむつ本体２００に配置した状態においては、第１吸収性コア２３０における所定領域と第２吸収性コア３１０における所定領域が重ねられ、積層吸収性コア領域１１０が形成される。積層吸収性コア領域１１０は、第１吸収性コア２３０単体および第２吸収性コア３１０単体よりも剛性が高い領域である高剛性領域１２０を形成する。
この積層吸収性コア領域１１０が、本考案に係る「積層吸収性コア領域」の一例である。この高剛性領域１２０が、本考案に係る「高剛性領域」の一例である。
【００２４】
なお、上述の通り、積層吸収性コア領域１１０は、第１吸収性コア２３０の所定領域と第２吸収性コア３１０の所定領域とが重ねられて形成される。そして、積層吸収性コア領域１１０は、高剛性領域１２０を形成する。よって、第１吸収性コア２３０の所定領域と、第２吸収性コア３１０の所定領域とは、「面」として積層されるのが好ましい。一方、第１吸収性コア２３０の所定領域と、第２吸収性コア３１０の所定領域は必ずしも「面状」にて積層される必要はなく、高剛性領域１２０を形成すれば足りる。
【００２５】
第１吸収性コア２３０と、第２吸収性コア３１０は、パルプなどの吸液性繊維と、高吸収性ポリマーとの混合物や、発泡性の吸液性合成樹脂などにより形成される。よって、第１吸収性コア２３０単体や、第２吸収性コア３１０単体では、剛性が低く、ペットの挙動により変形を来す恐れがある。
一方、本考案に係るペット用使い捨ておむつ１００においては、高剛性領域１２０が形成される。よって、特に腹側胴周り領域２１２において、高剛性領域１２０が形成されている領域の剛性を上げることができる。よって、吸収性コア全体１１０は変形を起こしにくい。よって、本考案に係るペット用使い捨ておむつ１００は、排泄物の漏れを効果的に防止できる。
【００２６】
なお、本考案における「剛性」は、テーバー法（ＪＩＳ Ｐ８１２５）に準拠して測定することができる。剛性の測定方法を、次に示す。
（１）剛性が測定されるべき領域を所定の寸法に裁断し、縦寸法７０ｍｍ×横寸法３８．１ｍｍの剛性測定用サンプルを作成する。剛性の測定には、厚さ測定器（ＰＥＡＣＯＣＫ  ＤＩＡＬ  ＴＨＩＣＫＮＥＳＳ  ＧＡＵＧＥ  Ｎｏ.Ｃ１１３５２  径５０ｍｍ・荷重３ｇ／ｃｍ２）と株式会社安田精機製作所製のテーバースティフネステスター（テーバー試験機）とを使用した。
（２）次に、剛性の測定の手順を説明する。（ａ）厚さ測定器を介して剛性測定用サンプルの厚さ寸法Ｗを測定する。（ｂ）剛性測定用サンプルをテーバー試験機のサンプル曲げ機構のローラ間に入れる。そして、サンプル掴みと剛性測定用サンプルとが同一直線状かつ中心刻線が荷重目盛りの０となるように剛性測定用サンプルを取り付ける（サンプル掴みの間隔は剛性測定用サンプルの厚さと合わせる）。（ｃ）ローラと剛性測定用サンプルとの左右隙間の合計をＷ×０．８０（ｍｍ）に調節し、ローラから剛性測定用サンプルまでの距離を０．５ｍｍ程度にする。（ｄ）サンプル曲げ機構を時計回り方向へ回転させる。曲げ機構の１５度を示す刻線と、荷重振り子の指針とが一致した点で曲げ機構の回転を停止する。この時の振り子の指針が指示する荷重目盛りの数値Ｘを読み取る。（ｅ）直ちにサンプル曲げ機構を反時計回り方向へ回転させ、曲げ機構の１５度を示す刻線と荷重振り子の指針とが一致した点で曲げ機構の回転を停止する。この時の振り子の指針が指示する荷重目盛りの数値Ｙを読み取る。なお、荷重目盛りが最大目盛りの１５〜８５％の範囲に入るように補助おもりを選択し、選択した補助おもりをサンプルに取り付ける。
（３）時計回り方向と反時計回り方向とにおいて読み取った荷重目盛りの数値Ｘ，Ｙを使
用し、以下の式によって剛性測定用サンプルの剛性を求める。剛軟度（Ｎ・ｃｍ）＝｛（Ｘ＋Ｙ）／２｝×｛（補助おもり数値）／１０００×９．８０７｝。このようにして算出した、剛性測定用サンプルの剛性を、本考案に係る「剛性」とする。
【００２７】
おむつ本体２００は、胴周り領域２１０と股下領域２２０に連続する方向により規定されるおむつ長手方向２００Ｙと、おむつ長手方向２００Ｙと交差する方向であるおむつ長手交差方向２００Ｘの双方に延在するよう形成される。
このおむつ長手方向２００Ｙが、本考案に係る「おむつ長手方向」の一例である。このおむつ長手交差方向２００Ｘが、本考案に係る「おむつ長手交差方向」の一例である。
【００２８】
おむつ本体２００は、おむつ長手方向２００Ｙ上における一対の端部であるおむつ本体長手方向端部２００Ｙ１を有する。おむつ本体２００は、おむつ本体長手交差方向２００Ｘ上における一対の端部であるおむつ本体長手交差方向端部２００Ｘ１を有する。おむつ本体長手交差方向端部２００Ｘ１は、図１においては省略される。
おむつ本体長手方向端部２００Ｙ１は、背側胴周り領域２１１における端部である背側端部２１１Ｙと、腹側胴周り領域２１２における端部である腹側端部２１２Ｙとを有する。
このおむつ本体長手方向端部２００Ｙ１が、本考案に係る「おむつ本体長手方向端部」の一例である。この背側端部２１１Ｙが、本考案に係る「背側端部」の一例である。この腹側端部２１２Ｙが、本考案に係る「腹側端部」の一例である。
【００２９】
なお、図１に示す通り、ペット用おむつ１００をペット（図示せず）に装着した状態において、脚周り開口２６０における最もおむつ本体長手方向端部２００Ｙ１に近い点を通過するおむつ本体長手交差方向Ｘの仮想線を、おむつ本体仮想境界線２６０Ｘとする。
このおむつ本体仮想境界線２６０Ｘよりも、おむつ長手方向端部２００Ｙ１側の領域が胴周り領域２１０である。また、おむつ本体仮想境界線２６０Ｘよりも尻尾挿通開口２４０側の領域が股下領域２２０である。
【００３０】
おむつ本体２００は、おむつ長手方向Ｙにおける長さの内、最も長い長さであるおむつ本体長手方向長さ（図示せず）を有する。第１吸収性コア２３０は、おむつ長手方向Ｙにおける長さの内、最も長い長さである第１吸収性コア長手方向長さ（図示せず）を有する。
このおむつ本体長手方向長さと、第１吸収性コア長手方向長さは、例えば図１のように、ペット用使い捨ておむつ１００をペットに装着している状態においては、計測しにくいものである。
【００３１】
ここで、後述するように、おむつ本体２００がオープン型おむつ本体２００Ａとして形成されている場合におけるおむつ本体長手方向長さの測定方法につき説明する。
まず、背側胴周り領域２１１と腹側胴周り領域２１２とが互いに係止されていない状態のオープン型おむつ本体２００Ａを用意する。次に、オープン型おむつ本体２００Ａにおける、背側胴周り領域２１１と、股下領域２２０と、腹側胴周り領域２１２とを直線状とする。この状態において、一対のおむつ長手方向端部２００Ｙ１の間の距離を計測する。これにより、オープン型おむつ本体２００Ａにおける、おむつ本体長手方向長さを測定することができる。
【００３２】
次に、後述するように、おむつ本体２００がパンツ型おむつ本体２００Ｂとして形成されている場合におけるおむつ本体長手方向長さの測定方法につき説明する。まず、パンツ型おむつ本体２００Ｂにおける、背側胴周り領域２１１と、股下領域２２０と、腹側胴周り領域２１２とを直線状とする。この状態において、一対のおむつ長手方向端部２００Ｙ１の間の距離を計測する。これにより、パンツ型おむつ本体２００Ｂにおける、おむつ本体長手方向長さを測定することができる。
【００３３】
なお、上述したおむつ本体長手方向長さの測定方法と同様の手法により、第１吸収性コア長手方向長さを測定することができる。この場合、第１吸収性コア２３０におけるおむつ本体長手方向２００Ｙ上の一対の端部間の距離を計測する。なお、特に第１吸収性コア２３０が、パルプなどの吸液性繊維と、高吸収性ポリマーとの混合物により形成されている場合は、第１吸収性コア２３０におけるおむつ本体長手方向Ｙ上の端部が明確とならない場合がある。すなわち、第１吸収性コア２３０におけるおむつ本体長手方向Ｙ上の端部において、吸液性繊維や高吸収性ポリマーが離脱したり、型崩れを起こしてしまう場合がある。この場合は、実質的に第１吸収性コア２３０としての機能を果たす箇所の端部を、第１吸収性コア２３０の端部とみなすことができる。なお、このような場合であっても、おむつ本体２００の設計上における、第１吸収性コア２３０の長手方向長さが、本考案に係る第１吸収性コア長手方向長さを形成することは勿論である。
【００３４】
補助体３００は、補助体３００をおむつ本体２００に配置した状態において、おむつ本体２００の胴周り領域２１０と股下領域２２０に連続する方向により規定される補助体長手方向３００Ｙと、補助体長手方向３００Ｙと交差する方向である補助体長手交差方向３００Ｘの双方に延在するよう形成される。
この補助体長手方向３００Ｙが、本考案に係る「補助体長手方向」の一例である。この補助体長手交差方向３００Ｘが、本考案に係る「補助体長手交差方向」の一例である。
【００３５】
補助体３００は、補助体長手方向３００Ｙ上における一対の端部である補助体長手方向端部３００Ｙ１を有する。補助体３００は、補助体長手交差方向３００Ｘ上における一対の端部である補助体長手交差方向端部３００Ｘ１を有する。
補助体長手方向端部３００Ｙ１は、補助体３００をおむつ本体２００に配置した状態において、おむつ本体２００の尻尾挿通開口２４０側に配置される端部である尻尾側補助体端部３００Ｙ１２と、おむつ本体２００の腹側端部２１２Ｙ方向に配置される腹側補助体端部３００Ｙ１１とを有する。
補助体長手方向端部３００Ｙ１（３００Ｙ１１、３００Ｙ１２）と、補助体長手交差方向端部３００Ｘ１は、図１においては省略される。
この補助体長手方向端部３００Ｙ１が、本考案に係る「補助体長手方向端部」の一例である。この尻尾側補助体端部３００Ｙ１２が、本考案に係る「尻尾側補助体端部」の一例である。この腹側補助体端部３００Ｙ１１が、本考案に係る「腹側補助体端部」の一例である。
【００３６】
第２吸収性コア３１０は、補助体長手方向３００Ｙ上における一対の端部である第２吸収性コア長手方向端部３１０Ｙと、補助体長手交差方向３００Ｘ上における一対の端部である第２吸収性コア長手交差方向端部３１０Ｘとを有する。第２吸収性コア長手交差方向端部吸収性コア３１０Ｘは、図１においては省略される。
第２吸収性コア長手方向端部３１０Ｙは、尻尾側補助体端部３００Ｙ１２側の端部である尻尾側第２吸収性コア端部３１０Ｙ２と、腹側補助体端部３００Ｙ１１側の端部である腹側第２吸収性コア端部３１０Ｙ１とを有する。
この第２吸収性コア長手方向端部３１０Ｙが、本考案に係る「第２吸収性コア長手方向端部」の一例である。この尻尾側第２吸収性コア端部３１０Ｙ２が、本考案に係る「尻尾側第２吸収性コア端部」の一例である。この腹側第２吸収性コア端部が、本考案に係る「腹側第２吸収性コア端部」の一例である。
【００３７】
ここで、補助体３００をおむつ本体２００に配置した状態において、おむつ本体２００の腹側端部２１２Ｙと、第２吸収性コア３１０の腹側第２吸収性コア端部３１０Ｙ１との間の距離を、距離１００Ｄとする。この際、距離１００Ｄは腹側端部２１２と腹側第２吸収性コア端部３１０Ｙ１との間における、最短の長さを示すものとする。
本考案において、距離１００Ｄは５〜２０ｍｍであることが好ましい。すなわち、吸収性コア全体１１０は、本来であれば、おむつ本体２００における尻尾挿通開口２４０から腹側端部２１２Ｙにまで延在することが望ましい。一方、後述する補助体３００の構成上、第２吸収性コア３１０を、おむつ本体２００における尻尾挿通開口２４０から腹側端部２１２にまで完全に一致させて延在させることは、困難である。この際、距離Ｄが５〜２０ｍｍであると、吸収性コア全体１１０として十分な剛性を得ることができる。
【００３８】
図４に示す通り、補助体３００は、補助体長手方向３００Ｙと平行する仮想線において、補助体３００上の補助体長手交差方向３００Ｘにおける中心部を通過する補助体長手方向中心線３００ＹＣＬを有する。補助体３００は、補助体長手交差方向３００Ｘと平行する仮想線において、補助体３００上の補助体長手方向３００Ｙにおける中心部を通過する補助体長手交差方向中心線３００ＸＣＬを有する。この補助体長手方向中心線３００ＹＣＬと補助体長手交差方向中心線３００ＸＣＬとが交わる点を、補助体中心点３００ＣＰとする。補助体中心点３００ＣＰから補助体３００が存在しない領域に向かう方向を、補助体外側方向とする。補助体３００が存在しない領域から補助体中心点３００ＣＰに向かう方向を補助体内側方向とする。
【００３９】
この補助体内側方向に向かって並ぶ補助体長手方向端部３００Ｙ１と第２吸収性コア長手方向端部３１０Ｙとの間の領域には、一対の補助体長手方向端部領域３００ＹＡが形成される。
補助体内側側方向に向かって並ぶ補助体長手交差方向端部３００Ｘ１と第２吸収性コア長手交差方向端部３１０Ｘとの間の領域には、一対の補助体長手交差方向端部領域３００ＸＡが形成される。
【００４０】
補助体長手方向端部領域３００ＹＡは、腹側補助体端部３００Ｙ１１と腹側第２吸収性コア端部３１０Ｙ１との間に位置する腹側補助体端部領域３００Ｙ１１Ａを有する。腹側補助体端部領域３００Ｙ１１Ａにおける補助体長手方向３００Ｙの長さは、腹側補助体端部領域長さ３００Ｙ１１Ｄとされる。
なお、腹側補助体端部領域長さ３００Ｙ１１Ｄは、腹側補助体端部領域３００Ｙ１１Ａにおける補助体長手方向３００Ｙの長さの内、最も長い長さとする。
【００４１】
補助体長手方向端部領域３００ＹＡは、尻尾側補助体端部３００Ｙ１２と尻尾側第２吸収性コア端部３１０Ｙ２との間に位置する尻尾側補助体端部領域３００Ｙ１２Ａを有する。尻尾側補助体端部領域３００Ｙ１２における補助体長手方向３００Ｙの長さは、尻尾側補助体端部領域長さとされる。
なお、尻尾側補助体端部領域長さ３００Ｙ１２Ｄは、尻尾側補助体端部領域３００Ｙ１２Ａにおける補助体長手方向３００Ｙの長さの内、最も長い長さとする。
【００４２】
また、補助体３００は、補助体長手方向Ｙにおける長さの内、最も長い長さである補助体長手方向長さ３００ＹＤを有する。
【００４３】
また、おむつ本体２００は、周知の構成である第１バリアカフス（図示せず）を有する。この第１バリアカフスが、本考案に係る「第１バリアカフス」の一例である。
第１バリアカフスは、第１吸収性コア２３０におけるおむつ長手交差方向２００Ｘ上の両端部近傍の領域にそれぞれ設けられ、おむつ長手方向２００Ｙ方向へ延在する。第１バリアカフスの構成は、周知の構成を種々選択することが可能である。なお、第１バリアカフスは、尿漏れギャザー、股下ギャザー、立体ギャザーなどと称されることがある。
補助体１００をおむつ本体２００に配置する際には、補助体１００を、一対の第１バリアカフスの間に配置することができる。この結果、補助体１００は一対のバリアカフスに支持される。よって、補助体１００は、おむつ本体２００に対してずれを生じにくくなる。
【００４４】
（おむつ本体の概要）
本考案に係るペット用使い捨ておむつ１００のおむつ本体２００は、周知のペット用使い捨ておむつを適宜使用することができる。次に、図２および図３に基づき、代表的な周知のペット用使い捨ておむつにつき説明する。なお、図２および図３においては、周知のペット用おむつの代表的な構成のみを説明する。図２および図３において、説明を行わなかった構成や、素材等については、周知の構成や素材を適宜選択できるものである。
なお、上述した図１に係るおむつ本体２００の構成と、同一のものについては、同一の符号を付し、その説明を省略する。
【００４５】
代表的な周知の使い捨てペット用おむつとして、オープン型と呼ばれる構造のものを、図２に基づき説明する。
オープン型おむつ本体２００Ａは、腹側胴周り領域２１２に設けられた係止部２１２Ａ２と、背側胴周り領域２１１におけるおむつ外側領域２００Ｚ２に設けられるとともに係止部２１２Ａ２を受ける係止領域２１１Ａ１と、を有する。
このオープン型おむつ本体２００Ａが、本考案に係る「第１のおむつ本体」の一例である。この係止部２１２Ａ２が、本考案に係る「係止部」の一例である。この係止領域２１１Ａ１が、本考案に係る「係止領域」の一例である。
【００４６】
なお、腹側胴周り領域２１２はフラップ部２１２Ａ１を有する。係止部２１２Ａ２は、フラップ部２１２Ａ１に設けられる。
この着脱自在に形成された係止部２１２Ａと、係止領域２１１Ａ１は、周知の構成が適宜選択される。本考案の実施形態に係るオープン型おむつ本体２００Ａにおいては、係止部２１２Ａは、複数のフックからなるフック部（図示しない）により形成される。また、係止領域２１１Ａ１は、フック部のフックに係止されるループ部を有するターゲットテープが、背側胴周り領域２１１の所定領域に配置されることにより形成される。
なお、このように係止部２１２Ａとしてフック部を使用する場合には、フック部と係合可能な不織布を背側胴周り領域２１１の所定領域に用いることができる。この場合、フック部と係合可能な不織布が、係止領域２１１Ａ１を形成する。また、係止部２１２Ａを粘着剤により形成する場合には、係止領域２１１Ａ１として合成樹脂製のフィルムを使用することができる。
【００４７】
次に、代表的な周知の使い捨てペット用おむつとして、パンツ型と呼ばれる構造のものを、図３に基づき説明する。
パンツ型おむつ本体２００Ｂは、背側胴周り領域２１１におけるおむつ長手交差方向２００Ｘ上の端部である一対の背側長手交差方向端部２１１ＢＸと、腹側胴周り領域２１２におけるおむつ長手交差方向２００Ｘ上の端部である一対の腹側長手交差方向端部２１２ＢＸと、背側長手交差方向端部２１１ＢＸと腹側長手交差方向端部２１２ＢＸとを接合する接合部２００Ｂ１と、を有する。
この接合部２００Ｂ１により接続された状態において、パンツ型おむつ本体２００Ｂには、おむつ本体長手交差方向端部２００Ｘ１が形成される。
このパンツ型おむつ本体２００Ｂが、本考案に係る「第２のおむつ本体」の一例である。この背側長手交差方向端部２１１ＢＸが、本考案に係る「背側長手交差方向端部」の一例である。この腹側長手交差方向端部２１２ＢＸが、本考案に係る「腹側長手交差方向端部」の一例である。この接合部２００Ｂ１が、本考案に係る「接合部」の一例である。
【００４８】
（補助体の概要）
本考案に係るペット用使い捨ておむつ１００の補助体３００は、周知の尿取りパッドを適宜使用することができる。なお、この「尿取りパッド」は、「吸尿パッド」や「補助吸収体」等とも称される。
次に図４〜図６に基づき、代表的な周知の尿取りパッドにつき説明する。なお、図４〜図６においては、周知の尿取りパッドの代表的な構成のみを説明する。図４〜図６において、説明を行わなかった構成や、素材等については、周知の構成や素材を適宜選択できるものである。
なお、上述した図１に係る補助体３００の構成と、同一のものについては、同一の符号を付し、その説明を省略する。
【００４９】
補助体３００は、補助体３００をおむつ本体２００に配置した状態において、おむつ本体のおむつ本体内側領域２００Ｚ１に向けられる第１シート３２０と、第２シート３３０とを有する。第２吸収性コア３１０は、第１シート３２０と第２シート３３０の間に配置される。
この第１シート３２０が、本考案に係る「第１シート」の一例である。この第２シート３３０が、本考案に係る「第２シート」の一例である。
【００５０】
第１シート３２０は、液透過性であることができる。また、第１シート３２０は、液不透過性であることができる。
第２シート３３０は、液透過性であることができる。
【００５１】
補助体３００は、第２シート３３０に配置された第３シート３４０を有する。この第３シート３４０が、本考案に係る「第３シート」の一例である。
第３シート３４０は、補助体３００における補助体長手交差方向３００Ｘの端部３００Ｘ１領域に配置されるとともに、第２シート３３０に接合される領域である第３シート接合領域３４１と、第２シート３３０に接合されない領域である第３シート自由領域３４２とを有する。
この第３シート接合領域３４１が、本考案に係る「第３シート接合領域」の一例である。この第３シート自由領域３４２が、本考案に係る「第３シート自由領域」の一例である。
【００５２】
第３シート自由領域３４２には、伸縮性弾性部材３５０が伸長状態にて配置される。この伸縮性弾性部材３５０は、第３シート自由領域３４２の長手交差方向の端部を折り返して形成された折り返し部３４３に配置される。
この伸縮性弾性部材３５０の収縮により第３シート自由領域３４２が起立され、第２バリアカフス３６０が形成される。
この伸縮性弾性部材３５０が、本考案に係る「伸縮性弾性部材」の一例である。この第２バリアカフス３６０が、本考案に係る「第２バリアカフス」の一例である。
【００５３】
以下、図８〜図１７に基づき、本考案に係る第１の変形例〜第８の変形例を説明する。なお、第１変形例〜第８変形例の説明において、上記実施形態と同様の構成を有する構成要素や、他の変形例と同様の構成を有する構成要素は、その説明、図面符号などを省略する。
【００５４】
（第１変形例）
本考案に係る第１変形例を、図８および図９に基づき説明する。
第１変形例に係るペット用使い捨ておむつ１０１は、実施形態に係るペット用使い捨ておむつ１００に比して、補助体の構造が異なる。すなわち、第１変形例に係るペット用使い捨ておむつ１０１の補助体３０１は、腹側補助体端部領域長さ３００Ｙ１１Ｄよりも、尻尾側補助体端部領域長さ３００Ｙ１２Ｄの方が短く形成されている。
【００５５】
図９は、補助体３０１をおむつ本体３０１に配置した状態を示す概要図である。図９に示すように、このような構成を有する補助体３０１においては、積層吸収性コア領域１１０（高剛性領域１２０）が、主に股下領域２２０に形成される。
ペットの体型によっては、股下領域２２０の第１吸収性コア２３０が変形しやすい場合がある。第１変形例のペット用使い捨ておむつ１０１を、股下領域２２０の第１吸収性コア２３０が変形しやすい体型のペットに使用した場合、排泄物の漏れが生じにくくなる。
【００５６】
なお、第１変形例のように、補助体３００における補助体長手方向３００Ｙの一方側に偏った領域に、第２吸収性コア３１０が設けられている場合がある。このような補助体３０１においては、おむつ本体２００に対して補助体３０１を配置する方向が重要となる。おむつ本体２００に対し、補助体３０１を所定の方向に確実に配置するために、補助体３０１に特定情報を示す表示部４００を設けることができる。
【００５７】
表示部４００にて示される「特定情報」としては、例えば、おむつ本体２００に対する補助体３０１の取り付け方向を示す文字情報、矢印等の図形情報が挙げられる。また、補助体３０１が特定種類のペット向けである場合は、当該特定種類のペット向けである旨の情報が挙げられる。具体的には、犬の特定品種等の情報が挙げられる。
【００５８】
表示部４００は、腹側補助体端部領域３００Ｙ１１Ａに設けられることが好ましい。さらに、表示部４００は、腹側補助体端部３００Ｙ１１の近傍に設けられている場合が好ましい。この場合、ペット用使い捨ておむつ１０１をペットに装着した状態においても、ユーザは容易に表示部４００を確認することが可能となる。
なお、表示部４００を、尻尾側補助体端部領域３００Ｙ１２Ａに設けることも可能である。また、表示部４００を、補助体長手交差方向領域３００ＸＡに設けることも可能である。
【００５９】
表示部４００は、第１シート３２０に印刷等の手段により設けることができる。さらに、第２シート３３０として光線透過可能な素材を選択することができる。この場合は、第１シート３２０に設けられた表示部４００を、第２シート３３０上から目視することができる。
また、表示部４００を、第２シート３３０に印刷等の手段により設けることができる。
【００６０】
（第２変形例）
本考案に係る第２変形例を、図１０および図１１に基づき説明する。
第２変形例に係るペット用使い捨ておむつ１０２は、実施形態に係るペット用使い捨ておむつ１００に比して、補助体の構造が異なる。すなわち、第２変形例に係るペット用使い捨ておむつ１０１の補助体３０２は、腹側補助体端部領域長さ３００Ｙ１１Ｄよりも、尻尾側補助体端部領域長さ３００Ｙ１２Ｄの方が長く形成されている。
【００６１】
図１１は、補助体３０２をおむつ本体３０２に配置した状態を示す概要図である。図１１に示すように、このような構成を有する補助体３０２においては、積層吸収性コア領域１１０（高剛性領域１２０）が、主に腹側胴周り領域２１２に形成される。
ペットの体型によっては、腹側胴周り領域２１２の第１吸収性コア２３０が変形しやすい場合がある。第２変形例のペット用使い捨ておむつ１０２を、腹側胴周り領域２１２の第１吸収性コア２３０が変形しやすい体型のペットに使用した場合、排泄物の漏れが生じにくくなる。
【００６２】
第２変形例に係るペット用使い捨ておむつ１０２の補助体３０２においても、表示部４００が形成されることが好ましい。
【００６３】
（第３変形例）
本考案に係る第３変形例を、図１２に基づき説明する。
第３変形例に係るペット用使い捨ておむつ１０３（図示せず）は、第１変形例に係るペット用使い捨ておむつ１０１に比して、補助体の構造が異なる。すなわち、第３変形例に係るペット用使い捨ておむつ１０３（図示せず）の補助体３０３は、表示部４００が、腹側補助体端部領域３００Ｙ１１Ａと、尻尾側補助体端部領域３００Ｙ１２Ａとの双方に設けられている。
【００６４】
図１２においては、便宜上、図１２の下側方向をおむつ本体２００の尻尾挿通開口２４０の方向としている。従って、第３変形例に係る補助体３０３は、腹側補助体端部領域長さ３００Ｙ１１Ｄよりも、尻尾側補助体端部領域長さ３００Ｙ１２Ｄの方が短く形成されている構成とされている。
一方、図１２において、図１２の下側方向をおむつ本体２００の腹側端部２１２Ｙとした場合を想定する。この場合は、第３変形例に係る補助体３０３は、腹側補助体端部領域長さ３００Ｙ１１Ｄよりも、尻尾側補助体端部領域長さ３００Ｙ１２Ｄの方が長く形成されている構成となる。
【００６５】
すなわち、補助体３００の補助体長手方向３００Ｙにおいて、第２吸収性コア３１０が偏った領域に形成されている場合は、ユーザが適宜、第２吸収性コア３１０を、おむつ本体２００の腹側胴周り領域２１２に配置するか、股下領域２２０に配置するかを選択することが可能となる。
【００６６】
この場合、図１２における上側の表示部４００には、おむつ本体２００の股下領域２２０に第２吸収性コア３１０が配置されるのに好適な情報を示すことができる。さらに、図１２における下側の表示部４００には、おむつ本体２００の腹側胴周り領域２１２に第２吸収性コア３１０が配置されるのに好適な情報を示すことができる。
【００６７】
（第４変形例）
本考案に係る第４変形例を、図１３に基づき説明する。
第４変形例に係るペット用使い捨ておむつ１０４（図示せず）は、実施形態に係るペット用使い捨ておむつ１００に比して、補助体の構造が異なる。すなわち、第４変形例に係るペット用使い捨ておむつ１０４（図示せず）の補助体３０４は、補助体長手方向長さ３００ＹＤが、おむつ本体２００の第１吸収性コア長手方向長さより短い。
補助体３０４をこのように構成することで、ユーザは、おむつ本体２００の第１吸収性コア２３０の任意の位置に対し、補助体３０４を配置することが可能となる。
【００６８】
なお、おむつ本体２００に、おむつ本体２００のどの領域に補助体３０４を配置するのが好適かを示すガイド部を設けることができる。ガイド部は、具体的には、おむつ本体内側領域２００Ｚ１において、おむつ本体長手交差方向２００Ｘに連続する直線を、印刷などの手段により設けることができる。また、ガイド部は、おむつ本体長手方向２００Ｙにおいて、間隔を空けて複数設けることができる。
おむつ本体２００にガイド部を設けた場合、ユーザは、おむつ本体２００に対する補助体３０４の位置決めが容易となる。
【００６９】
なお、第１吸収性コア２３０の任意の位置に、選択的に補助体３０４を配置するという目的のため、補助体３０４における補助体長手方向長さ３００ＹＤは、第１吸収性コア長手方向長さの１５パーセント〜７５パーセントであることが好ましい。
【００７０】
（第５変形例）
本考案に係る第５変形例を、図１４に基づき説明する。
第５変形例に係るペット用使い捨ておむつ１０５（図示せず）は、実施形態に係るペット用使い捨ておむつ１００に比して、補助体の構造が異なる。すなわち、第５変形例に係るペット用使い捨ておむつ１０５（図示せず）の補助体３０５は、おむつ本体２００に対して着脱自在に形成された補助体係止部５００を有する。
【００７１】
補助体係止部５００は、おむつ本体内側領域２００Ｚ１に着脱自在に係止する構成であれば、周知の構造を適宜選択できる。例えば、補助体係止部５００として、おむつ本体内側領域２００Ｚ１を形成する不織布に対し、係合可能な複数のフック部を有する帯状体を使用することができる。また、補助体係止部５００として、おむつ本体内側領域２００Ｚ１に貼りつけることができる、粘着剤を使用することができる。
【００７２】
補助体係止部５００は、第２吸収性コア３１０が配置されている領域に形成されていることが望ましい。これにより、おむつ本体２００の第１吸収性コア２３０と、補助体３００の第２吸収性コア３１０の接合を確実なものとすることができる。よって、高剛性領域１２０を容易に形成することができる。
【００７３】
なお、第５変形例に係る補助体３０５においては、補助体係止部５００は、第２吸収性コア３１０が配置されている領域において、補助体長手交差方向３００Ｘに延在している。
また、補助体係止部５００は複数設けることができる。補助体３０５においては、一対の第２吸収性コア長手方向端部３１０Ｙ近傍に、一対の補助体係止部５００が設けられている。
【００７４】
（第６変形例）
本考案に係る第６変形例を、図１５に基づき説明する。
第６変形例に係るペット用使い捨ておむつ１０６（図示せず）は、第５変形例に係るペット用使い捨ておむつ１０５に比して、補助体の構造が異なる。すなわち、第６変形例に係るペット用使い捨ておむつ１０６（図示せず）の補助体３０６は、おむつ本体２００に対して着脱自在に形成された補助体係止部５００を有する。そして、補助体係止部５００は、第２吸収性コア３１０が配置されている領域において、補助体長手方向３００Ｙに延在されている。
【００７５】
なお、第５変形例として、補助体係止部５００が、第２吸収性コア３１０が配置されている領域において、補助体長手交差方向３００Ｘに延在されている構成を説明した。また、第６変形例として、補助体係止部５００が、第２吸収性コア３１０が配置されている領域において、補助体長手方向３００Ｙに延在されている構成を説明した。
一方、補助体は、補助体長手交差方向３００Ｘに延在している補助体係止部５００と、補助体長手方向３００Ｙに延在している補助体係止部５００の双方を有することができる。
【００７６】
（第７変形例）
本考案に係る第７変形例を、図１６に基づき説明する。
第７変形例に係るペット用使い捨ておむつ１０７（図示せず）は、第５変形例に係るペット用使い捨ておむつ１０５に比して、補助体の構造が異なる。すなわち、第７変形例に係るペット用使い捨ておむつ１０７（図示せず）の補助体３０７は、おむつ本体２００に対して着脱自在に形成された補助体係止部５００を有する。そして、補助体係止部５００は、補助体長手方向端部領域３００ＹＡに形成されている。
【００７７】
（第８変形例）
本考案に係る第８変形例を、図１７に基づき説明する。
第８変形例に係るペット用使い捨ておむつ１０８（図示せず）は、第５変形例に係るペット用使い捨ておむつ１０５に比して、補助体の構造が異なる。すなわち、第８変形例に係るペット用使い捨ておむつ１０８（図示せず）の補助体３０８は、おむつ本体２００に対して着脱自在に形成された補助体係止部５００を有する。そして、補助体係止部５００は、補助体長手交差方向端部領域３００ＸＡに形成されている。
【００７８】
なお、第７変形例として、補助体係止部５００が、補助体長手方向端部領域３００ＹＡに形成されている構成を説明した。また、第８変形例として、補助体係止部５００が、補助体長手交差方向端部領域３００ＸＡに形成されている構成を説明した。
一方、補助体は、補助体長手方向端部領域３００ＹＡに形成されている補助体係止部５００と、補助体長手交差方向端部領域３００ＸＡに形成されている補助体係止部５００の双方を有することができる。
【００７９】
なお、本考案に係るペット用使い捨ておむつの構成は上述した構造に限らないものである。実施態様や第１変形例〜第８変形例に記載されている構成を、適宜組み合わせることは、もちろん可能である。
【００８０】
（実施の形態と本考案の各構成要素の対応について）
ペット用使い捨ておむつ１００は、本考案に係る「ペット用使い捨ておむつ」の一例である。おむつ本体２００は、本考案に係る「おむつ本体」の一例である。補助体３００は、本考案に係る「補助体」の一例である。胴周り領域２１０は、本考案に係る「胴周り領域」の一例である。股下領域２２０は、本考案に係る「股下領域」の一例である。おむつ内側領域２００Ｚ１は、本考案に係る「おむつ内側領域」の一例である。おむつ外側領域２００Ｚ２は、本考案に係る「おむつ外側領域」の一例である。第１吸収性コア２３０は、本考案に係る「第１吸収性コア」の一例である。尻尾挿通開口２４０は、本考案に係る「尻尾挿通開口」の一例である。第２吸収性コア３１０は、本考案に係る「第２吸収性コア」の一例である。積層吸収性コア領域１１０は、本考案に係る「積層吸収性コア領域」の一例である。高剛性領域１２０は、本考案に係る「高剛性領域」の一例である。おむつ長手方向２００Ｙは、本考案に係る「おむつ長手方向」の一例である。おむつ長手交差方向２００Ｘは、本考案に係る「おむつ長手交差方向」の一例である。補助体長手方向３００Ｙは、本考案に係る「補助体長手方向」の一例である。補助体長手交差方向３００Ｘは、本考案に係る「補助体長手交差方向」の一例である。おむつ本体長手方向端部２００Ｙ１は、本考案に係る「おむつ本体長手方向端部」の一例である。背側端部２１１Ｙは、本考案に係る「背側端部」の一例である。腹側端部２１２Ｙは、本考案に係る「腹側端部」の一例である。補助体長手方向端部３００Ｙ１は、本考案に係る「補助体長手方向端部」の一例である。尻尾側補助体端部３００Ｙ１２は、本考案に係る「尻尾側補助体端部」の一例である。腹側補助体端部３００Ｙ１１は、本考案に係る「腹側補助体端部」の一例である。第２吸収性コア長手方向端部３１０Ｙは、本考案に係る「第２吸収性コア長手方向端部」の一例である。尻尾側第２吸収性コア端部３１０Ｙ２は、本考案に係る「尻尾側第２吸収性コア端部」の一例である。腹側第２吸収性コア端部は、本考案に係る「腹側第２吸収性コア端部」の一例である。第１バリアカフスは、本考案に係る「第1バリアカフス」の一例である。オープン型おむつ本体２００Ａは、本考案に係る「第１のおむつ本体」の一例である。係止部２１２Ａ２は、本考案に係る「係止部」の一例である。係止領域２１１Ａ１は、本考案に係る「係止領域」の一例である。パンツ型おむつ本体２００Ｂは、本考案に係る「第２のおむつ本体」の一例である。背側長手交差方向端部２１１ＢＸは、本考案に係る「背側長手交差方向端部」の一例である。腹側長手交差方向端部２１２ＢＸは、本考案に係る「腹側長手交差方向端部」の一例である。接合部２００Ｂ１は、本考案に係る「接合部」の一例である。第１シート３２０は、本考案に係る「第１シート」の一例である。第２シート３３０は、本考案に係る「第２シート」の一例である。第３シート３４０は、本考案に係る「第３シート」の一例である。第３シート接合領域３４１は、本考案に係る「第３シート接合領域」の一例である。第３シート自由領域３４２は、本考案に係る「第３シート自由領域」の一例である。伸縮性弾性部材３５０は、本考案に係る「伸縮性弾性部��」の一例である。バリアカフス３６０は、本考案に係る「バリアカフス」の一例である。
【００８１】
以上の本考案の特質に鑑み、以下の各種の構成態様が構築できる。
（態様１）
ペット用使い捨ておむつであって、
胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体と、
前記おむつ本体内側領域に着脱自在に配置されるとともに、第２吸収性コアを有する補助体と、を有し、
前記おむつ本体の前記胴周り領域は、背側胴周り領域と、腹側胴周り領域とを有し、
前記補助体を前記おむつ本体に配置した状態において、前記補助体は、前記おむつ本体における前記尻尾挿通開口から前記腹側胴周り領域における所定領域に亘り配置されるとともに、前記第１吸収性コアにおける所定領域と前記第２吸収性コアにおける所定領域が重ねられて形成される積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつ。
【００８２】
（態様２）
態様１に記載されたペット用使い捨ておむつであって、
前記おむつ本体は、前記胴周り領域と前記股下領域に連続する方向により規定されるおむつ長手方向と、当該おむつ長手方向と交差する方向であるおむつ長手交差方向の双方に延在するよう形成され、
前記補助体は、前記補助体を前記おむつ本体に配置した状態において、前記おむつ本体の胴周り領域と前記股下領域に連続する方向により規定される補助体長手方向と、当該補助体長手方向と交差する方向である補助体長手交差方向の双方に延在するよう形成されることを特徴とするペット用使い捨ておむつ。
【００８３】
（態様３）
態様１または２のいずれか１項に記載されたペット用使い捨ておむつであって、
前記おむつ本体は、一対の第１バリアカフスを有し、
前記補助体は、前記一対の第１バリアカフスの間に配置されることを特徴とするペット用使い捨ておむつ。
【００８４】
（態様４）
態様１〜３のいずれか１項に記載されたペット用使い捨ておむつであって、
前記おむつ本体は、前記腹側胴周り領域に設けられた係止部と、前記背側胴周り領域における前記外側領域に設けられるとともに前記係止部を受ける係止領域と、を有する第１のおむつ本体であることを特徴とするペット用使い捨ておむつ。
【００８５】
（態様５）
態様１〜３のいずれか１項に記載されたペット用使い捨ておむつであって、
前記おむつ本体は、前記背側胴周り領域における前記おむつ長手交差方向上の端部である一対の背側長手交差方向端部と、前記腹側胴周り領域における前記おむつ長手交差方向上の端部である一対の腹側長手交差方向端部と、前記背側長手交差方向端部と前記腹側長手交差方向端部とを接合する接合部と、を有する第２のおむつ本体であることを特徴とするペット用使い捨ておむつ。
【００８６】
（態様６）
態様１〜５のいずれか１項に記載されたペット用使い捨ておむつであって、
前記補助体は、前記補助体を前記おむつ本体に配置した状態において、前記おむつ本体の前記おむつ本体内側領域に向けられる第１シートと、第２シートとを有し、
前記第２吸収性コアは、前記第１シートと前記第２シートの間に配置されることを特徴とするペット用使い捨ておむつ。
【００８７】
（態様７）
態様６に記載されたペット用使い捨ておむつであって、
前記第１シートは、液透過性であることを特徴とするペット用使い捨ておむつ。
【００８８】
（態様８）
態様６に記載されたペット用使い捨ておむつであって、
前記第１シートは、液不透過性であることを特徴とするペット用使い捨ておむつ。
【００８９】
（態様９）
態様６〜８のいずれか１項に記載されたペット用使い捨ておむつであって、
前記第２シートは、液透過性であることを特徴とするペット用使い捨ておむつ。
【００９０】
（態様１０）
態様６〜９のいずれか１項に記載されたペット用使い捨ておむつであって、
前記補助体は、前記第２シートに配置された第３シートを有し、
前記第３シートは、前記補助体における前記補助体長手交差方向の端部領域に配置されるとともに、前記第２シートに接合される領域である第３シート接合領域と、前記第２シートに接合されない領域である第３シート自由領域とを有し、
前記第３シート自由領域には、伸縮性弾性部材が伸長状態にて配置され、
前記伸縮性弾性部材の収縮により前記第３シート自由領域が起立され第２バリアカフスを形成することを特徴とするペット用使い捨ておむつ。
【００９１】
（態様１１）
態様１〜態様１０に記載されたペット用使い捨ておむつであって、
前記補助体は、
前記補助体長手方向と平行する仮想線において、前記補助体上の補助体長手交差方向における中心部を通過する補助体長手方向中心線と、
前記補助体長手交差方向と平行する仮想線において、前記補助体上の補助体長手方向における中心部を通過する補助体長手交差方向中心線と、
前記補助体長手方向中心線と前記補助体長手交差方向中心線とが交わる点である補助体中心点と、
前記補助体中心点から前記補助体が存在しない領域に向かう方向である補助体外側方向と、
前記補助体が存在しない領域から前記補助体中心点に向かう方向である補助体内側方向と、
前記補助体内側方向に向かって並ぶ前記補助体長手方向端部と前記第２吸収性コア長手方向端部との間の領域である一対の補助体長手方向端部領域と、
前記補助体内側方向に向かって並ぶ前記補助体長手交差方向端部と前記第２吸収性コア長手交差方向端部との間の領域である一対の補助体長手交差方向端部領域と、を有し、
前記補助体長手方向端部領域は、
前記腹側補助体端部と前記腹側第２吸収性コア端部との間に位置する腹側補助体端部領域と、
当該腹側補助体端部領域における前記補助体長手方向の長さである腹側補助体端部領域長さと、
前記尻尾側補助体端部と前記尻尾側第２吸収性コア端部との間に位置する尻尾側補助体端部領域と、
当該尻尾側補助体端部領域における前記補助体長手方向の長さである尻尾側補助体端部領域長さと、
を有することを特徴とするペット用使い捨ておむつ。
【００９２】
（態様１２）
態様１１に記載されたペット用使い捨ておむつであって、
前記腹側補助体端部領域長さよりも、前記尻尾側補助体端部領域長さの方が短いことを特徴とするペット用使い捨ておむつ。
【００９３】
（態様１３）
態様１１に記載されたペット用使い捨ておむつであって、
前記腹側補助体端部領域長さよりも、前記尻尾側補助体端部領域長さの方が長いことを特徴とするペット用使い捨ておむつ。
【００９４】
（態様１４）
態様１〜１３に記載されたペット用使い捨ておむつであって、
前記補助体は、特定情報を示す表示部を有することを特徴とするペット用使い捨ておむつ。
【００９５】
（態様１５）
態様１４に記載されたペット用使い捨ておむつであって、
前記表示部における前記特定情報は、前記おむつ本体に対する前記補助体の取り付け方向を示すことを特徴とするペット用使い捨ておむつ。
【００９６】
（態様１６）
態様１４に記載されたペット用使い捨ておむつであって、
前記表示部における前記特定情報は、前記ペット用使い捨ておむつが装着される前記ペットの種類であることを特徴とするペット用使い捨ておむつ。
【００９７】
（態様１７）
態様１４〜１６のいずれか１項に記載されたペット用使い捨ておむつであって、
前記表示部は、前記腹側補助体端部領域に設けられていることを特徴とするペット用使い捨ておむつ。
【００９８】
（態様１８）
態様１４〜１６のいずれか１項に記載されたペット用使い捨ておむつであって、
前記表示部は、前記尻尾側補助体端部領域に設けられていることを特徴とするペット用使い捨ておむつ。
【００９９】
（態様１９）
態様１４〜１６のいずれか１項に記載されたペット用使い捨ておむつであって、
前記表示部は、前記腹側補助体端部領域と、前記尻尾側補助体端部領域とに設けられていることを特徴とするペット用使い捨ておむつ。
【０１００】
（態様２０）
態様１４〜１９のいずれか１項に記載されたペット用使い捨ておむつであって、
前記表示部は、前記補助体長手交差方向領域に設けられていることを特徴とするペット用使い捨ておむつ。
【０１０１】
（態様２１）
態様１４〜２０のいずれか１項に記載されたペット用使い捨ておむつであって、
前記表示部は、前記第１シートに設けられていることを特徴とするペット用使い捨ておむつ。
【０１０２】
（態様２２）
態様１４〜２０のいずれか１項に記載されたペット用使い捨ておむつであって、
前記表示部は、前記第２シートに設けられていることを特徴とするペット用使い捨ておむつ。
【０１０３】
（態様２３）
態様１〜２２のいずれか１項に記載されたペット用使い捨ておむつであって、
前記おむつ本体は、前記おむつ長手方向における長さの内、最も長い長さであるおむつ本体長手方向長さを有し、
前記第１吸収性コアは、前記おむつ長手方向における長さの内、最も長い長さである第１吸収性コア長手方向長さを有し、
前記補助体は、前記補助体長手方向における長さの内、最も長い長さである補助体長手方向長さを有することを特徴とするペット用使い捨ておむつ。
【０１０４】
（態様２４）
態様２３に記載されたペット用使い捨ておむつであって、
前記補助体長手方向長さは、前記第１吸収性コア長手方向長さより短いことを特徴とするペット用使い捨ておむつ。
【０１０５】
（態様２５）
態様２４に記載されたペット用使い捨ておむつであって、
前記補助体長手方向長さは、前記第１吸収性コア長手方向長さの１５パーセント〜７５パーセントであることを特徴とするペット用使い捨ておむつ。
【０１０６】
（態様２６）
態様１〜２５に記載されたペット用使い捨ておむつであって、
前記補助体は、前記おむつ本体に対して着脱自在に形成された補助体係止部を有することを特徴とするペット用使い捨ておむつ。
【０１０７】
（態様２７）
態様２６に記載されたペット用使い捨ておむつであって、
前記補助体係止部は、前記第２吸収性コアが配置されている領域に形成されていることを特徴とするペット用使い捨ておむつ。
【０１０８】
（態様２８）
態様２７に記載されたペット用使い捨ておむつであって、
前記補助体係止部は、前記第２吸収性コアが配置されている領域において補助体長手交差方向に延在することを特徴とするペット用使い捨ておむつ。
【０１０９】
（態様２９）
態様２７に記載されたペット用使い捨ておむつであって、
前記補助体係止部は、前記第２吸収性コアが配置されている領域において補助体長手方向に延在することを特徴とするペット用使い捨ておむつ。
【０１１０】
（態様３０）
態様２６に記載されたペット用使い捨ておむつであって、
前記補助体係止部は、前記補助体長手方向端部領域に形成されていることを特徴とするペット用使い捨ておむつ。
【０１１１】
（態様３１）
態様２６に記載されたペット用使い捨ておむつであって、
前記補助体係止部は、前記補助体長手交差方向端部領域に形成されていることを特徴とするペット用使い捨ておむつ。
【０１１２】
（態様３２）
ペット用使い捨ておむつに用いられる補助体であって、
第２吸収性コアを有し、
胴周り領域と、当該胴周り領域に形成される背側胴周り領域と、前記胴周り領域に形成される腹側胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体における前記おむつ本体内側領域の前記尻尾挿通開口から前記腹側胴周り領域の所定位置に着脱自在に配置され、
前記第２吸収性コアは、前記第１吸収性コアにおける所定領域に重ねられて積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつに用いられる補助体。
【符号の説明】
【０１１３】
１００、１０１、１０２、１０３、１０４、１０５、１０６、１０７、１０８  ペット用使い捨ておむつ
１１０  積層吸収性コア領域
１２０  高剛性領域
１００Ｄ  距離
２００、２０１、２０２、２０３、２０４、２０５、２０６、２０７、２０８  おむつ本体
２００Ｘ  おむつ本体長手交差方向
２００Ｘ１  おむつ本体長手交差方向端部
２００Ｙ  おむつ本体長手方向
２００Ｙ１  おむつ本体長手方向端部
２００Ｚ  おむつ本体厚み方向
２００Ｚ１  おむつ本体内側領域
２００Ｚ２  おむつ本体外側領域
２１０  胴周り領域
２１１  背側胴周り領域
２１１Ｙ  背側端部
２１２  腹側胴周り領域
２１２Ｙ  腹側端部
２２０  股下領域
２３０  第１吸収性コア
２４０  尻尾挿通開口
２５０  胴周り開口
２６０  脚周り開口
２６０Ｘ  おむつ本体仮想境界線
２７０  伸縮性弾性部材
２００Ａ  オープン型おむつ本体（第１のおむつ本体）
２１１Ａ１  係止領域
２１１ＡＹ  端部
２１２Ａ１  フラップ領域
２１２Ａ２  係止部
２１２ＡＹ  端部
２００Ｂ  パンツ型おむつ本体(第２のおむつ本体)
２００Ｂ１  接合部
２１１ＢＸ  背側長手交差方向端部
２１２ＢＸ  腹側長手交差方向端部
３００、３０１、３０２、３０３、３０４、３０５、３０６、３０７、３０８  補助体
３００ＣＰ  補助体中心点
３００Ｘ  補助体長手交差方向
３００Ｘ１  補助体長手交差方向端部
３００ＸＡ  補助体長手交差方向端部領域
３００ＸＣＬ  補助体長手交差方向中心線
３００Ｙ  補助体長手方向
３００Ｙ１  補助体長手方向端部
３００ＹＡ  補助体長手方向端部領域
３００ＹＣＬ  補助体長手方向中心線
３００Ｙ１１  腹側補助体端部
３００Ｙ１１Ａ  腹側補助体端部領域
３００Ｙ１１Ｄ  腹側補助体端部領域長さ
３００Ｙ１２  尻尾側補助体端部
３００Ｙ１２Ａ  尻尾側補助体端部領域
３００Ｙ１２Ｄ  尻尾側補助体端部領域長さ
３００ＹＤ  補助体長手方向長さ
３００Ｚ  補助体厚み方向
３１０  第２吸収性コア
３１０ＹＤ  第２吸収性コア長手方向長さ
３１０Ｘ  第２吸収性コア長手交差方向端部
３１０Ｙ  第２吸収性コア長手方向端部
３１０Ｙ１  腹側第２吸収性コア端部
３１０Ｙ２  尻尾側第２吸収性コア端部
３２０  第１シート
３３０  第２シート
３４０  第３シート
３４１  第３シート接合領域
３４２  第３シート自由領域
３４３  折り返し部
３５０  伸縮性弾性部材
３６０  バリアカフス
４００  表示部
５００  補助体係止部
【図１】
0003212307.tif 000003
【図２】
0003212307.tif 000004
【図３】
0003212307.tif 000005
【図４】
0003212307.tif 000006
【図５】
0003212307.tif 000007
【図６】
0003212307.tif 000008
【図７】
0003212307.tif 000009
【図８】
0003212307.tif 000010
【図９】
0003212307.tif 000011
【図１０】
0003212307.tif 000012
【図１１】
0003212307.tif 000013
【図１２】
0003212307.tif 000014
【図１３】
0003212307.tif 000015
【図１４】
0003212307.tif 000016
【図１５】
0003212307.tif 000017
【図１６】
0003212307.tif 000018
【図１７】
0003212307.tif 000019
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
ペット用使い捨ておむつであって、
胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体と、
前記おむつ本体内側領域に着脱自在に配置されるとともに、第２吸収性コアを有する補助体と、を有し、
前記おむつ本体の前記胴周り領域は、背側胴周り領域と、腹側胴周り領域とを有し、
前記補助体を前記おむつ本体に配置した状態において、前記補助体は、前記おむつ本体における前記尻尾挿通開口から前記腹側胴周り領域における所定領域に亘り配置されるとともに、前記第１吸収性コアにおける所定領域と前記第２吸収性コアにおける所定領域が重ねられて形成される積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつ。
【請求項２】
請求項１に記載されたペット用使い捨ておむつであって、
前記おむつ本体は、前記胴周り領域と前記股下領域に連続する方向により規定されるおむつ長手方向と、当該おむつ長手方向と交差する方向であるおむつ長手交差方向の双方に延在するよう形成され、
前記補助体は、前記補助体を前記おむつ本体に配置した状態において、前記おむつ本体の胴周り領域と前記股下領域に連続する方向により規定される補助体長手方向と、当該補助体長手方向と交差する方向である補助体長手交差方向の双方に延在するよう形成されることを特徴とするペット用使い捨ておむつ。
【請求項３】
請求項２に記載されたペット用使い捨ておむつであって、
前記おむつ本体は、一対の第１バリアカフスを有し、
前記補助体は、前記一対の第１バリアカフスの間に配置されることを特徴とするペット用使い捨ておむつ。
【請求項４】
請求項２または３に記載されたペット用使い捨ておむつであって、
前記おむつ本体は、前記腹側胴周り領域に設けられた係止部と、前記背側胴周り領域における前記外側領域に設けられるとともに前記係止部を受ける係止領域と、を有する第１のおむつ本体であることを特徴とするペット用使い捨ておむつ。
【請求項５】
請求項２または３に記載されたペット用使い捨ておむつであって、
前記おむつ本体は、前記背側胴周り領域における前記おむつ長手交差方向上の端部である一対の背側長手交差方向端部と、前記腹側胴周り領域における前記おむつ長手交差方向上の端部である一対の腹側長手交差方向端部と、前記背側長手交差方向端部と前記腹側長手交差方向端部とを接合する接合部と、を有する第２のおむつ本体であることを特徴とするペット用使い捨ておむつ。
【請求項６】
請求項２〜５のいずれか１項に記載されたペット用使い捨ておむつであって、
前記補助体は、前記補助体を前記おむつ本体に配置した状態において、前記おむつ本体の前記おむつ本体内側領域に向けられる第１シートと、第２シートとを有し、
前記第２吸収性コアは、前記第１シートと前記第２シートの間に配置されることを特徴とするペット用使い捨ておむつ。
【請求項７】
請求項６に記載されたペット用使い捨ておむつであって、
前記第１シートは、液透過性であることを特徴とするペット用使い捨ておむつ。
【請求項８】
請求項６に記載されたペット用使い捨ておむつであって、
前記第１シートは、液不透過性であることを特徴とするペット用使い捨ておむつ。
【請求項９】
請求項６〜８のいずれか１項に記載されたペット用使い捨ておむつであって、
前記第２シートは、液透過性であることを特徴とするペット用使い捨ておむつ。
【請求項１０】
請求項６〜９のいずれか１項に記載されたペット用使い捨ておむつであって、
前記補助体は、前記第２シートに配置された第３シートを有し、
前記第３シートは、前記補助体における前記補助体長手交差方向の端部領域に配置されるとともに、前記第２シートに接合される領域である第３シート接合領域と、前記第２シートに接合されない領域である第３シート自由領域とを有し、
前記第３シート自由領域には、伸縮性弾性部材が伸長状態にて配置され、
前記伸縮性弾性部材の収縮により前記第３シート自由領域が起立され第２バリアカフスを形成することを特徴とするペット用使い捨ておむつ。
【請求項１１】
ペット用使い捨ておむつに用いられる補助体であって、
第２吸収性コアを有し、
胴周り領域と、当該胴周り領域に形成される背側胴周り領域と、前記胴周り領域に形成される腹側胴周り領域と、股下領域と、ペットに装着された状態において前記ペットに向けられる領域であるおむつ本体内側領域と、当該おむつ本体内側領域と対向する領域であるおむつ本体外側領域と、第１吸収性コアと、尻尾挿通開口と、を有するおむつ本体における前記おむつ本体内側領域の前記尻尾挿通開口から前記腹側胴周り領域の所定位置に着脱自在に配置され、
前記第２吸収性コアは、前記第１吸収性コアにおける所定領域に重ねられて積層吸収性コア領域を形成し、
当該積層吸収性コア領域は、前記第１吸収性コア単体および前記第２吸収性コア単体よりも剛性が高い領域である高剛性領域を形成することを特徴とするペット用使い捨ておむつに用いられる補助体。